(57)【要約】【課題】防振クッションの粘弾性によるサスペンションの傾きを抑制して、外箱に水槽が当たりにくくできる脱水機を提供する。【解決手段】防振クッション３２，３７を、非粘弾性体４０と粘弾性体４１とを積層して構成した。粘弾性体４１は粘弾性により変形しやすいものの、非粘弾性体４０は非粘弾性により変形しない。それにより、サスペンションが水槽と共に傾き倒れる方向に変形しようとする防振クッション３２，３７において、非粘弾性体４０が粘弾性体４１の変形に対する抵抗体となり、防振クッション３２，３７を変形しにくくするため、サスペンションの傾きが抑制され、外箱に水槽が当たりにくくすることができる。【選択図】図１
2014079500.tif 000002
【特許請求の範囲】
【請求項１】
洗濯物を収容して高速回転される回転槽を具えると共に、
この回転槽の回転時における振動を受けるサスペンションを具え、
そのサスペンションを、回転槽側との間、並びに外箱底部側との間に、それぞれ防振クッションを介在させて取付けた脱水機において、
前記防振クッションを、非粘弾性体と粘弾性体とを積層して構成したことを特徴とする脱水機。
【請求項２】
少なくとも下部の防振クッションを、非粘弾性体と粘弾性体とを積層して構成したことを特徴とする請求項１記載の脱水機。
【請求項３】
非粘弾性体と粘弾性体とを接着したことを特徴とする請求項１又は２記載の脱水機。
【請求項４】
非粘弾性体を粘弾性体にインサートして成形したことを特徴とする請求項１又は２記載の脱水機。
【請求項５】
非粘弾性体と粘弾性体とを円盤形としたことを特徴とする請求項１ないし４のいずれかに記載の脱水機。
【請求項６】
非粘弾性体と粘弾性体とを、水平方向のうちの変形させたくない方向に短くしたことを特徴とする請求項１ないし４のいずれかに記載の脱水機。
【発明の詳細な説明】
【技術分野】
【０００１】
本発明の実施形態は脱水機に関する。
【背景技術】
【０００２】
従来より、ドラム式洗濯機を含む脱水兼用洗濯機等の脱水機においては、洗濯物を収容した回転槽を高速回転させることで、洗濯物の遠心脱水を行うようになっており、その回転時には、回転槽が振動を起こすので、その振動が脱水機設置床面に伝わることのないように、且つ回転槽を収容して回転槽と共に振動する水槽が外箱に当たることのないように、水槽をサスペンションで支持して、該サスペンションにより回転槽の振動を受けるようになっている。
【０００３】
そして、サスペンションは、回転槽側との間、並びに外箱底部側との間に、それぞれゴムなど粘弾性体から成る防振クッションを介在させて取付けられており、この防振クッションによっても、回転槽の振動が脱水機設置床面に伝わることのないようにされ、且つ外箱に水槽が当たることのないようにされている。
【０００４】
詳細には、サスペンションは、ダンパを有して、軸心方向が上下方向を指向するように設置されており、ダンパの減衰力はその軸心方向に働くため、回転槽の上下方向の振動に対して効果が発揮される。一方、防振クッションは、粘弾性により、回転槽の前後、左右の水平方向の振動に対して効果が発揮される。
【先行技術文献】
【特許文献】
【０００５】
【特許文献１】特開２００６−６１６１３号公報
【発明の概要】
【発明が解決しようとする課題】
【０００６】
上記従来のものおいては、回転槽が振動するとき、防振クッションが粘弾性によって変形するため、サスペンションが水槽と共に傾き倒れるようになることがあり、特に洗濯物の偏在を因とする回転槽の偏荷重が水平方向の位置となったときには、回転槽が大きく振動するのと相俟って、傾いた水槽が外箱に当たり、外箱の大きな揺れや大きな騒音が発生することがあった。
【０００７】
そこで、防振クッションの粘弾性によるサスペンションの傾きを抑制して、外箱に水槽が当たりにくくすることのできる脱水機を提供する。
【課題を解決するための手段】
【０００８】
本実施形態の脱水機は、洗濯物を収容して高速回転される回転槽を具えると共に、この回転槽の回転時における振動を受けるサスペンションを具え、そのサスペンションを、回転槽側との間、並びに外箱底部側との間に、それぞれ防振クッションを介在させて取付けたものにおいて、前記防振クッションを、非粘弾性体と粘弾性体とを積層して構成したことを特徴とする。
【図面の簡単な説明】
【０００９】
【図１】第１の実施形態に係る防振クッションを縦断面図（ａ）と下面図（ｂ）とで示す図
【図２】上記防振クッションと組み合わせる防振クッションを平面図（ａ）と縦断面図（ｂ）とで示す図
【図３】ドラム式洗濯機全体の、一部を破断した縦断側面図
【図４】サスペンション単体の縦断面図
【図５】第２の実施形態を示す図１（ａ）相当図
【図６】図２（ｂ）相当図
【図７】第３の実施形態を示す図１（ａ）、（ｂ）相当図
【図８】図２（ａ）、（ｂ）相当図
【発明を実施するための形態】
【００１０】
以下、ドラム式洗濯機に適用した第１の実施形態につき、図１ないし図４を参照して説明する。
まず、図３には、ドラム式洗濯機の全体構造を示しており、外箱１を外殻としている。この外箱１の前面部（図３で右側）のほゞ中央部には、洗濯物出入口２を形成し、該出入口２を開閉する扉３を設けている。又、外箱１の前面部の上部には、操作パネル４を設けており、その裏側（外箱１内）に運転制御用の制御装置５を設けている。
【００１１】
外箱１の内部には、水槽６を配設している。この水槽６は軸方向が前後（図３で右左）の横軸円筒状を成すものであり、それを外箱１の底板１ａ上に、左右一対（右側の一方のみ図示）のサスペンション７によって前上がりの傾斜状にて弾性支持している。サスペンション７の詳細構造は、後に述べる。
水槽６の背部にはモータ８を取付けている。このモータ８は、この場合、例えば直流のブラシレスモータから成るもので、アウターロータ形であり、ロータ８ａの中心部に取付けた回転軸（図示省略）を、軸受ハウジング９を介して水槽６の内部に挿通している。
【００１２】
水槽６の内部には、ドラム１０を配設している。このドラム１０も軸方向が前後の横軸円筒状を成すもので、それを後部の中心部で上記モータ８の回転軸の先端部に取付けることにより、水槽６と同軸の前上がりの傾斜状に支持している。又、その結果、ドラム１０はモータ８により回転されるようになっており、従って、ドラム１０は回転槽であり、モータ８はドラム１０を回転させるドラム駆動装置として機能するようになっている。
【００１３】
ドラム１０の周側部（胴部）には、小孔１１を全域にわたって多数（一部のみ図示）形成している。又、ドラム１０及び水槽６は、ともに前面部に開口部１２，１３を有しており、そのうちの水槽６の開口部１３に、環状のベローズ１４を介して前記洗濯物出入口２を連ねている。この結果、洗濯物出入口２は、ベローズ１４、水槽６の開口部１３、及びドラム１０の開口部１２を介して、ドラム１０の内部に連なっている。
【００１４】
水槽６の最低部である底部の後部には、排水弁１５を介して、排水管１６を接続している。又、水槽６の背部から上方そして前方には、乾燥ユニット１７を配設している。この乾燥ユニット１７は、除湿器１８と、送風装置１９、及び加熱装置２０を有しており、水槽６内の空気を除湿し、次いで加熱して、水槽６内に戻す循環を行わしめることにより、洗濯物を乾燥させるようになっている。
【００１５】
ここで、サスペンション７の詳細構造を述べる。サスペンション７は、大別すると、図４に示すように、ダンパ２１とスプリング２２とで構成しており、そのうちのダンパ２１は、シャフト２３とシリンダ２４とを具えている。シャフト２３の上端部にはピストンバルブ２５を取付けており、一方、シリンダ２４は、主として、外筒２４ａ及び内筒２４ｂと、外筒２４ａの軸方向（上下）両端の開口部を閉塞するキャップ２４ｃ，２４ｄ、及び内筒２４ｂの同じく軸方向両端の開口部を閉塞するシール２４ｅ，２４ｆから成っていて、内筒２４ｂ内にピストンバルブ２５と共にシャフト２３の上部をシール２４ｆ下の軸受２６を介して軸方向移動可能に挿入している。ピストンバルブ２５は、外周面が内筒２４ｂの内周面に密接するものであり、その外周面近くに、軸方向に開通するオリフィス孔２５ａを複数有している。
【００１６】
又、シリンダ２４の内筒２４ｂ内には、ピストンバルブ２５の上下両方にオイル２７を充填しており、すなわち、本実施形態のダンパ２１は、オイルダンパであって、オイル２７は、オリフィス孔２５ａ内にも充填している。
シャフト２３は、シール２４ｆ及び軸受２６を貫通してシリンダ２４の下方に突出しており、その下端部にはばね受け座２９を取付け、このばね受け座２９とシリンダ２４の下端部との間に前記スプリング（圧縮コイルばね）２２を介在させている。
以上により、サスペンション７を組立て構成している。
【００１７】
シャフト２３は、下端部に取付部２３ａを有しており、この取付部２３ａを、図３に示すように、前記外箱１の底板１ａに設けた取付板３１に防振クッション３２，３３を介してナット３４で締結することにより、シャフト２３を取付板３１に取付け、ひいては外箱１の底板１ａに取付けており、すなわち、サスペンション７を外箱１の底部側との間に防振クッション３２，３３を介在させて取付けている。
【００１８】
一方、シリンダ２４の上端部には取付部材３５を設けており、この取付部材３５を、同じく図３に示すように、前記水槽６に設けた取付板３６に防振クッション３７，３８を介してナット３９で締結することにより、シリンダ２４を取付板３６に取付け、ひいては水槽６に取付けており、すなわち、サスペンション７を、ドラム（回転槽）１０側との間に防振クッション３７，３８を介在させて取付けている。
そして又、それらの結果、水槽６は外箱１の底板１ａ上にサスペンション７を介在させて取付けている。
【００１９】
さて、図１の（ａ）は、防振クッション３２，３７の形状を縦断面図で表し、同図の（ｂ）は、防振クッション３２，３７の形状を下面図で表している（防振クッション３７は図３とは上下を逆に図示している）。これらの図で明らかなように、防振クッション３２，３７は、短円柱形で、軸方向の一面（防振クッション３２は下面、防振クッション３７は上面）の中央部に凸部３２ａ，３７ａを有し、更に、その凸部３２ａ，３７ａの各端面から防振クッション３２，３７の対向端面にかけて中心部に、貫通孔３２ｂ，３７ｂを有している。
【００２０】
そして、これらの防振クッション３２，３７は、凸部３２ａ，３７ａを除く主体の部分を、非粘弾性体４０と粘弾性体４１とを積層して構成している。詳細には、非粘弾性体４０の上下に粘弾性体４１を積層して構成しており、そのうち、非粘弾性体４０は例えば鉄板であり、粘弾性体４１は例えばブチルゴム等のゴムであって、３層以上、この場合、５層あるうちの、奇数槽の、最下層と第３層及び第５層が粘弾性体４１であり、偶数槽の、第２層と第４層が非粘弾性体４０である。この非粘弾性体４０及び粘弾性体４１は、ともに円盤形であり、それぞれ別個の独立したパーツであって、その各パーツの非粘弾性体４０と粘弾性体４１とを接着して一体化している。
【００２１】
これに対して、図２の（ａ）は、防振クッション３３，３８の形状を平面図で表し、同図の（ｂ）は、防振クッション３３，３８の形状を縦断面図で表している（防振クッション３８は図３とは上下を逆に図示している）。これらの図で明らかなように、防振クッション３３，３８も、短円柱形であるが、これらの軸方向の一面（防振クッション３３は上面、防振クッション３８は下面）の中央部に、上記防振クッション３２，３７の凸部３２ａ，３７ａとそれぞれに対応する凹部３３ａ，３８ａを有し、更に、その凹部３３ａ，３８ａの各底面から防振クッション３３，３８の対向端面にかけて中心部に、貫通孔３３ｂ，３８ｂを有している。
【００２２】
そして、これらの防振クッション３３，３８も、非粘弾性体４２と粘弾性体４３をと積層して構成している。詳細には、この場合も、非粘弾性体４２の上下に粘弾性体４３を積層して構成しており、そのうち、非粘弾性体４２は例えば鉄板であり、粘弾性体４３は例えばブチルゴム等のゴムであって、３層以上、この場合、５層あるうちの、奇数槽の、最下層と第３層及び第５層が粘弾性体４３であり、偶数槽の、第２層と第４層が非粘弾性体４２である。この非粘弾性体４２及び粘弾性体４３は、ともに円盤形であり、それぞれ別個の独立したパーツであって、その各パーツの非粘弾性体４２と粘弾性体４３とを接着して一体化している。
【００２３】
なお、防振クッション３２，３３，３７，３８は外径が同じであり、凸部３２ａ，３７ａの外径及び突出量と凹部３３ａ，３８ａの内径及び深さもそれぞれほゞ同じであって、貫通孔３２ｂ，３３ｂ，３７ｂ，３８ｂは径が同じである。
【００２４】
この構成で、防振クッション３２と防振クッション３３とを、外箱１の取付板３１を挟んで、凸部３２ａと凹部３３ａとで取付板３１を貫通しつつ嵌合し、その上で、貫通孔３２ｂ，３３ｂに前記シャフト２３の取付部２３ａを通して、ナット３４による締結を行っている。
又、防振クッション３７と防振クッション３８とを、水槽６の取付板３６を挟んで、凸部３７ａと凹部３８ａとで取付板３６を貫通しつつ嵌合し、その上で、貫通孔３７ｂ，３８ｂに前記シリンダ２４の取付部材３５を通して、ナット３９による締結を行っている。
【００２５】
次に、上記構成のものの作用を述べる。
上記構成のドラム式洗濯機においては、操作パネル４の操作に基づき、制御装置５が運転を開始させると、標準的には洗濯、脱水、及び乾燥が行われる。
そのうち、洗濯は、図示しない給水弁から水槽６内への所定水位の給水が行われた後に、ドラム１０がモータ８により正逆両方向に交互に低速回転されることにより行われるもので、それにより、ドラム１０内にあらかじめ収容された洗濯物が上昇されてから落下されること（タンブリング）が繰返されて撹拌され洗浄される。
【００２６】
洗濯物の洗濯には、洗剤を含む水で洗浄する洗いと、清水で洗浄するすすぎとがあり、そのいずれの場合にも、それらの終了後には、排水弁１５が開放されて水槽６内の水を排水管１６を通じ機外に排出する排水が行われる。
次いで、脱水は、排水弁１５を開放させたまま、ドラム１０がモータ８により一方向に高速回転されることにより行われるもので、それにより、ドラム１０内の洗濯後の洗濯物が小孔１１を通して遠心脱水される。
【００２７】
そして、乾燥は、ドラム１０がモータ８により正逆両方向に交互に低速回転されると同時に、乾燥ユニット１７が作動されることにより行われるもので、乾燥ユニット１７では、前述のように、水槽６内の空気が、送風装置１９で循環される状況で、除湿器１８で除湿され、次いで加熱装置２０で加熱されて、水槽６内に戻されることを繰返すことにより、ドラム１０内の脱水後の洗濯物が乾燥される。
【００２８】
このようなドラム式洗濯機の運転の中で、ドラム１０が回転されるときには、該ドラム１０が振動し、中でもドラム１０が高速回転される脱水時に大きく振動する。更にその場合、ドラム１０内の洗濯物に偏在があれば、ドラム１０は偏荷重のために一層大きく振動する。このようにドラム１０が振動すると、ドラム１０を収容して該ドラム１０と一体化した水槽６も振動する。
【００２９】
ドラム１０及び水槽６の振動、中でも上下方向の振動に対しては、水槽６と一体にダンパ２１のシリンダ２４がスプリング２２の伸縮を伴いつつ軸方向の上下に往復動する。このとき、シリンダ２４内のオイル２７中をピストンバルブ２５が相対的に上下に往復動することにより、ピストンバルブ２５のオリフィス孔２５ａをオイル２７が通過する。ここで、オイル２７の粘性により、サスペンション７において減衰力が発生し、水槽６の振幅を減衰させる。
【００３０】
サスペンション７は、上記ダンパ２１を有して、軸心方向が上下方向を指向するように設置しており、ダンパ２１の減衰力はその軸心方向に働くため、ドラム１０及び水槽６の上下方向の振動に対して効果が発揮される。一方、防振クッション３２，３３，３７，３８は、それらの粘弾性により、ドラム１０及び水槽６の前後、左右の水平方向の振動に対して効果が発揮される。基本的には、そのようにしてドラム１０及び水槽６の振動が洗濯機設置床面に伝わることのないようにされ、且つ外箱１に水槽６が当たることのないようにされているのであるが、従来は、そのとき、防振クッションが粘弾性によって変形するため、サスペンションが水槽と共に傾き倒れるようになることがあり、特に洗濯物の偏在を因とする回転槽の偏荷重が水平方向の位置となったときには、水槽が大きく振動するのと相俟って、傾いた水槽が外箱に当たり、外箱の大きな揺れや大きな騒音が発生することがあったのである。
【００３１】
それに対して、上記構成のものにおいては、防振クッション３２，３７を、非粘弾性体４０と粘弾性体４１とを積層して構成し、防振クッション３３，３８を、非粘弾性体４２と粘弾性体４３とを積層して構成している。そのうち、粘弾性体４１，４３は粘弾性により変形しやすいものの、非粘弾性体４０，４２は非粘弾性により変形しない。それにより、上述のようにサスペンション７が傾き倒れる方向に変形しようとする防振クッション３２，３３，３７，３８において、非粘弾性体４０，４２が粘弾性体４１，４３の変形に対する抵抗体となり、防振クッション３２，３３，３７，３８を変形しにくくするため、サスペンション７の傾きが抑制され、外箱１に水槽６が当たりにくくすることができる。
【００３２】
又、この場合、前後、左右の水平方向については、防振クッション３２，３３，３７，３８は、非粘弾性体４０，４２にそれぞれ積層した粘弾性体４１，４３の粘弾性により、柔軟性が確保されるため、水平方向の振動を外箱１に伝えず、振動を減衰する効果を発揮し続ける。
【００３３】
加えて、上記構成のものにおいては、防振クッション３２，３７の非粘弾性体４０と粘弾性体４１、並びに防振クッション３３，３８の非粘弾性体４２と粘弾性体４３とを、ともに接着して構成している。これにより、それら防振クッション３２，３３の非粘弾性体４０と粘弾性体４１、並びに防振クッション３７，３８の非粘弾性体４２と粘弾性体４３とが、それぞれ一体化して、非粘弾性体４０と粘弾性体４１との間、並びに非粘弾性体４２と粘弾性体４３との間のすべりがなくなるため、傾き変形方向の剛性並びに水平方向の振動減衰性能をより高く得ることができる。又、洗濯機組立て時やサービス分解時には、非粘弾性体４０と粘弾性体４１並びに非粘弾性体４２と粘弾性体４３のそれぞれ一枚ずつを着脱する煩わしさがなくなるため、組立て・分解性を良好にすることができる。
【００３４】
更に、上記構成のものにおいては、防振クッション３２，３３の非粘弾性体４０と粘弾性体４１、並びに防振クッション３７，３８の非粘弾性体４２と粘弾性体４３とを、ともに円盤形としている。これにより、水槽６の前後左右の水平方向の振動時に弾性力及び振動減衰力の急激な変化が方向に関係なく少なく、連続性が高く得られるために、水槽６の動きを滑らかにできる。よって、急な速度変化による加速度が発生することがなく、その加速度による力（質量×加速度）が外箱１に加わることを防止できる。又、この場合、防振クッション３２，３３の方向性が水平方向にはなくなるため、組立て時にその方向性に配慮する必要がなくなり、組立て性を良好にすることもできる。
【００３５】
以上に対して、図５ないし図８は第２及び第３の実施形態を示すもので、それぞれ、第１の実施形態と同一の部分には同一の符号を付して説明を省略し、異なる部分についてのみ述べる。
【００３６】
［第２の実施形態］
図５及び図６に示す第２の実施形態においては、防振クッション３２，３３の非粘弾性体４０を粘弾性体４１に、防振クッション３７，３８の非粘弾性体４２を粘弾性体４３に、それぞれインサートして成形している。この関係上、防振クッション３２，３３の非粘弾性体４０は粘弾性体４１に、防振クッション３７，３８の非粘弾性体４２は粘弾性体４３に、それぞれ外周が覆われている。
【００３７】
このようにしても、防振クッション３２，３３の非粘弾性体４０と粘弾性体４１、並びに防振クッション３７，３８の非粘弾性体４２と粘弾性体４３とが、それぞれ一体化して、非粘弾性体４０と粘弾性体４１との間、並びに非粘弾性体４２と粘弾性体４３との間のすべりがなくなるため、傾き変形方向の剛性並びに水平方向の振動減衰性能をより高く得ることができ、且つ、洗濯機組立て時やサービス分解時に、非粘弾性体４０と粘弾性体４１並びに非粘弾性体４２と粘弾性体４３のそれぞれ一枚ずつを着脱する煩わしさがなくなって、組立て・分解性を良好にすることができる。
【００３８】
［第３の実施形態］
図７及び図８に示す第３の実施形態においては、防振クッション３２，３３の非粘弾性体４０と粘弾性体４１、並びに防振クッション３７，３８の非粘弾性体４２と粘弾性体４３を、ともに水平方向のうちの変形させたくない方向に短くしている。具体的には、防振クッション３２，３３の非粘弾性体４０と粘弾性体４１、並びに防振クッション３７，３８の非粘弾性体４２と粘弾性体４３とを、水槽６の前後方向（ａ図に矢印Ｘで示す方向）より左右方向（ａ図に矢印Ｙで示す方向）に短くしている。
【００３９】
これは、水槽６が主に回転方向に揺れて前後方向より左右方向に大きく振動することに基づいており、防振クッション３２，３３の非粘弾性体４０と粘弾性体４１、並びに防振クッション３７，３８の非粘弾性体４２と粘弾性体４３を、水槽６の前後方向より左右方向に短くすることで、粘弾性体４１，４３の左右方向の変形を低減できるので、同方向での外箱１に対する水槽６の当たりをより確実に防止できるようになる。又、その分、外箱１の小形化（幅の縮小）ができるようになる。すなわち、この場合は、防振クッション３２，３３，３７，３８の非粘弾性体４０，４２と粘弾性体４１，４３のそれぞれ左右方向が、水平方向のうちの変形させたくない方向である。
【００４０】
なお、この場合、防振クッション３２，３３，３７，３８については、形状を長方形としているが、長円形など他の形状であっても良い。又、防振クッション３２，３３の非粘弾性体４０と粘弾性体４１、並びに防振クッション３７，３８の非粘弾性体４２と粘弾性体４３は、ともに接着しているが、第２の実施形態と同様に、防振クッション３２，３３の非粘弾性体４０を粘弾性体４１に、防振クッション３７，３８の非粘弾性体４２を粘弾性体４３に、それぞれインサートして成形しても良い。
【００４１】
そして、防振クッションについては、下部の防振クッション３２，３３と上部の防振クッション３７，３８の双方ともに、非粘弾性体４０，４２と粘弾性体４１，４３とをそれぞれに積層して構成したが、サスペンション７が防振クッションを支点として水槽６と共に傾き倒れるようになることを考慮すると、少なくとも下部の防振クッション３２，３３を、非粘弾性体４０，４２と粘弾性体４１，４３とをそれぞれに積層して構成していれば良く、上部の防振クッション３７，３８は粘弾性体４１，４３のみで構成していても良い。このようにすることにより、防振クッションの粘弾性によるサスペンション７の傾きを抑制して、外箱１に水槽６が当たりにくくすることができるだけでなく、それをコストの上昇を抑えつつ実現できる効果がある。
【００４２】
又、ドラム式洗濯機で例示した機全体は、脱水機であれば良いもので、水槽及び回転槽を縦軸状に有する縦軸形の脱水兼用洗濯機等であっても良い。
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４３】
図面中、７はサスペンション、１０はドラム（回転槽）、３２，３３，３７，３８は防振クッション、４０，４２は非粘弾性体、４１，４３は粘弾性体を示す。
【図１】
2014079500.tif 000003
【図２】
2014079500.tif 000004
【図３】
2014079500.tif 000005
【図４】
2014079500.tif 000006
【図５】
2014079500.tif 000007
【図６】
2014079500.tif 000008
【図７】
2014079500.tif 000009
【図８】
2014079500.tif 000010